(57)【要約】  本発明の一態様の採光装置は、室外から入射した光の光路を曲げ、室内の所定の方向に向けて射出させる光透過性を有する第１のスラットと、第１のスラットを駆動する第１の駆動機構と、太陽の位置に応じて第１のスラットの傾斜角を変化させるように第１の駆動機構を制御する制御部と、を備える。
2017188318.tif 000002
【特許請求の範囲】
【請求項１】
室外から入射した光の光路を曲げ、室内の所定の方向に向けて射出させる光透過性を有する第１のスラットと、
前記第１のスラットを駆動する第１の駆動機構と、
太陽の位置に応じて前記第１のスラットの傾斜角を変化させるように前記第１の駆動機構を制御する制御部と、
を備えた、採光装置。
【請求項２】
前記第１のスラットは、鉛直面内において光の向きを変化させる複数のプリズム構造体を有する、請求項１に記載の採光装置。
【請求項３】
前記プリズム構造体は、主に前記光の反射面として機能し、前記第１のスラットの基準面と角度αをなす第１面と、前記光の入射面もしくは射出面として機能し、前記基準面と角度βをなす第２面と、を少なくとも有する、請求項２に記載の採光装置。
【請求項４】
日時と前記第１のスラットの傾斜角との相関関係、もしくは前記第１のスラットへの光の入射角度と前記第１のスラットの傾斜角との相関関係が記憶される記憶部を備え、
前記制御部は、前記記憶部に記憶された前記相関関係に基づいて前記第１のスラットの傾斜角を制御する、請求項３に記載の採光装置。
【請求項５】
水平面に対する直達光の入射高度をθinとし、前記直達光の前記採光装置に対する入射方位をφinとし、前記第１のスラットの傾斜角をγとし、前記第１のスラットから射出される前記直達光の射出高度をθoutとしたとき、θin、φin、およびγとθoutとの相関関係であるθout＝ｆ（θin，φin，γ）の相関関係が記憶された記憶部を備えた、請求項３に記載の採光装置。
【請求項６】
前記制御部は、前記第１のスラットからの射出光の前記水平面からのオフセット角をδとしたとき、前記第１のスラットの上部が室内側に傾く方向に回転する場合にはγを負の値とし、前記第１のスラットの上部が室外側に傾く方向に回転する場合にはγを正の値として、θout＝ｆ（θin，φin，γ）≧δを満たす最小のγを導出する、請求項５に記載の採光装置。
【請求項７】
前記制御部は、前記第１のスラットの下端位置と当該採光装置を設置する部屋の奥行きとに基づいて前記オフセット角δを求める、請求項６に記載の採光装置。
【請求項８】
前記相関関係は、前記プリズム構造体の内部で１回反射する前記直達光についての相関関係である、請求項５に記載の採光装置。
【請求項９】
前記第１のスラットの姿勢を外部から入力する入力部を備え、
前記制御部は、前記入力部から入力された信号と前記相関関係とに基づいて前記第１のスラットの傾斜角を制御する、請求項５に記載の採光装置。
【請求項１０】
前記プリズム構造体は、前記第１面および前記第２面が室外側に配置され、
０°＜α≦９０°、かつ、０°≦β≦９０°、かつα≧βを満たす前記角度αと前記角度βとの組合せを少なくとも一部に有する、請求項３に記載の採光装置。
【請求項１１】
前記角度αおよび前記角度βは、６４°＜α≦９０°、かつ、４２°≦β≦９０°を満たす、請求項１０に記載の採光装置。
【請求項１２】
前記プリズム構造体は、前記第１面および前記第２面が室内側に配置され、
０°＜α≦９０°、かつ、０°≦β≦９０°、かつα≦βを満たす前記角度αと前記角度βとの組合せを少なくとも一部に有する、請求項３に記載の採光装置。
【請求項１３】
前記角度αおよび前記角度βは、５１°＜α≦８３°、かつ、３３°≦β≦９０°を満たす、請求項１２に記載の採光装置。
【請求項１４】
前記第１のスラットは、当該第１のスラットの長手方向に平行な折れ線で折り曲げられた、請求項３に記載の採光装置。
【請求項１５】
前記折れ線を境界とした第１の領域は前記複数のプリズム構造体を有し、第２の領域は光吸収性を有する、請求項１４に記載の採光装置。
【請求項１６】
前記第２面は、前記プリズム構造体の長手方向に垂直な断面形状が曲線状をなしている、請求項３に記載の採光装置。
【請求項１７】
室外から入射した光の光路を曲げ、室内の所定の方向に向けて射出させる光透過性を有する第１のスラットと、
前記第１のスラットの下部に配置され、室外から入射した光を遮蔽もしくは拡散透過させる第２のスラットと、
前記第１のスラットまたは前記第２のスラットのうち、少なくとも一方のスラットを駆動する駆動機構と、
太陽の位置に応じて前記少なくとも一方のスラットの傾斜角を変化させるように前記駆動機構を制御する制御部と、
を備え、
前記第１のスラットは、鉛直面内において光の向きを変化させる複数のプリズム構造体を有し、
前記プリズム構造体は、主に前記光の反射面として機能し、前記第１のスラットの基準面と角度αをなす第１面と、前記光の入射面もしくは射出面として機能し、前記基準面と角度βをなす第２面と、を少なくとも有する、採光装置。
【請求項１８】
前記第２のスラットは、前記第１のスラットと連動もしくは独立して駆動されることにより、傾斜角が変更可能とされている、請求項１７に記載の採光装置。
【請求項１９】
前記採光装置の周辺の直達光を検出する直達光検出部を備え、
前記制御部は、前記直達光検出部が検出した直達光に基づいて前記第１のスラットの傾斜角を制御する、請求項３に記載の採光装置。
【請求項２０】
請求項１に記載の採光装置と、
一対のガラス板が間隔を隔てて対向して配置された複層ガラスと、を備え、
前記採光装置が前記一対のガラス板の間に設けられた、採光システム。
【請求項２１】
請求項１に記載の採光装置と、
室内照明具と、
室内の明るさを検出する検出部と、
前記室内照明具と前記検出部とを制御する制御部と、を備え、
前記制御部は、前記検出部が検出した照度に基づいて前記室内照明具を制御する、採光システム。
【発明の詳細な説明】
【技術分野】
【０００１】
本発明の一態様は、採光装置および採光システムに関する。
本願は、２０１６年４月２７日に、日本に出願された特願２０１６−０８９６６２号に基づき優先権を主張し、その内容をここに援用する。
【背景技術】
【０００２】
建築物の窓等を通して太陽光を室内に採り込むための採光装置が、特許文献１に開示されている。特許文献１に記載の採光装置は、並べて配置された複数の採光シートと、採光シートを回転させる回動機構と、を備えている。特許文献１には、この採光装置によれば、太陽の仰角に応じて眩しい光が室内に入射することを回避するために、偏向の調整を適切に行うことができる、と記載されている。【０００３】
一方、太陽光を遮蔽するブラインドの分野においては、下記の特許文献２に、時刻や天候に応じてスラットの角度を制御するスラット角度制御装置を備えた電動ブラインドが開示されている。
【先行技術文献】
【特許文献】
【０００４】
【特許文献１】特開２０１４−１２０４６１号公報
【特許文献２】特開２０１１−１９６１７７号公報
【発明の概要】
【発明が解決しようとする課題】
【０００５】
特許文献２の電動ブラインドにおいては、例えば晴天のときには、室内の執務者が眩しくないように、スラットを閉じることを前提としている。そのため、太陽光を室内に有効に採り込むことは難しい。【０００６】
また、特許文献１に記載の採光装置の場合、太陽高度が低い冬場や朝夕では、光が光偏向部に当たることなく抜けるため、スラットの上部が室外側を向くように回転させ、太陽高度が高い夏場では、光が光偏向部で全反射せずに抜けるため、スラットの上部が室内側を向くように回転させる。これにより、直射光のグレアを防ぐようにスラットを調整することができる。しかし、例えば太陽高度が低い場合、光が光偏向部に当たるようになるまでスラットを回転させると、直射光を水平方向近くに射出させ、室奥にまで導くことが難しい。この構造の問題点は、光の入射面が垂直（基材に平行）であること、低屈折率材を充填するために空気に比べて全反射臨界角が小さくなること、スラットの上部が季節に応じて室外側にも室内側にも回転できる必要があるために特殊なブラインド構造が必要になること、などである。このように、グレアを抑制すること、太陽光を効率良く採光すること、の双方を満足する採光装置を実現することは難しい。【０００７】
本発明の一つの態様は、上記の課題を解決するためになされたものであって、グレアの抑制と効率の良い採光を両立できる採光装置および採光システムを提供することを目的の一つとする。
【課題を解決するための手段】
【０００８】
上記の目的を達成するために、本発明の一つの態様の採光装置は、室外から入射した光の光路を曲げ、室内の所定の方向に向けて射出させる光透過性を有する第１のスラットと、前記第１のスラットを駆動する第１の駆動機構と、太陽の位置に応じて前記第１のスラットの傾斜角を変化させるように前記第１の駆動機構を制御する制御部と、を備える。【０００９】
本発明の一つの態様の採光装置において、前記第１のスラットは、鉛直面内において光の向きを変化させる複数のプリズム構造体を有していてもよい。【００１０】
本発明の一つの態様の採光装置において、前記プリズム構造体は、主に前記光の反射面として機能し、前記第１のスラットの基準面と角度αをなす第１面と、前記光の入射面もしくは射出面として機能し、前記基準面と角度βをなす第２面と、を少なくとも有していてもよい。【００１１】
本発明の一つの態様の採光装置は、日時と前記第１のスラットの傾斜角との相関関係、もしくは前記第１のスラットへの光の入射角度と前記第１のスラットの傾斜角との相関関係が記憶される記憶部を備え、前記制御部は、前記記憶部に記憶された前記相関関係に基づいて前記第１のスラットの傾斜角を制御してもよい。【００１２】
本発明の一つの態様の採光装置は、水平面に対する直達光の入射高度をθinとし、前記水平面に対する前記直達光の入射方位をφinとし、前記第１のスラットの傾斜角をγとし、前記第１のスラットから射出される前記直達光の射出高度をθoutとしたとき、θin、φin、およびγとθoutとの相関関係であるθout＝ｆ（θin，φin，γ）の関係式が記憶された記憶部をさらに備えていてもよい。【００１３】
本発明の一つの態様の採光装置において、前記制御部は、前記第１のスラットからの射出光の前記水平面からのオフセット角をδとしたとき、前記第１のスラットの上部が室内側に傾く方向に回転する場合にはγを負の値とし、前記第１のスラットの上部が室外側に傾く方向に回転する場合にはγを正の値として、θout＝ｆ（θin，φin，γ）≧δを満たす最小のγを導出してもよい。【００１４】
本発明の一つの態様の採光装置において、前記制御部は、前記第１のスラットの下端位置と当該採光装置を設置する部屋の奥行きとに基づいて前記オフセット角δを求めてもよい。【００１５】
本発明の一つの態様の採光装置において、前記相関関係は、前記プリズム構造体の内部で１回反射する前記直達光についての相関関係であってもよい。【００１６】
本発明の一つの態様の採光装置は、前記第１のスラットの姿勢を外部から入力する入力部を備え、前記制御部は、前記入力部から入力された信号と前記相関関係とに基づいて前記第１のスラットの傾斜角を制御してもよい。【００１７】
本発明の一つの態様の採光装置において、前記プリズム構造体は、前記第１面および前記第２面が室外側に配置され、０°＜α≦９０°、かつ、０°≦β≦９０°、かつα≧βを満たす前記角度αと前記角度βとの組合せを少なくとも一部に有していてもよい。【００１８】
本発明の一つの態様の採光装置において、前記角度αおよび前記角度βは、６４°＜α≦９０°、かつ、４２°≦β≦９０°を満たしてもよい。【００１９】
本発明の一つの態様の採光装置において、前記プリズム構造体は、前記第１面および前記第２面が室内側に配置され、０°＜α≦９０°、かつ、０°≦β≦９０°、かつα≦βを満たす前記角度αと前記角度βとの組合せを少なくとも一部に有していてもよい。【００２０】
本発明の一つの態様の採光装置において、前記角度αおよび前記角度βは、５１°＜α≦８３°、かつ、３３°≦β≦９０°を満たしてもよい。【００２１】
本発明の一つの態様の採光装置において、前記第１のスラットは、当該第１のスラットの長手方向に平行な折れ線で折り曲げられていてもよい。【００２２】
本発明の一つの態様の採光装置において、前記折れ線を境界とした第１の領域は前記複数のプリズム構造体を有し、第２の領域は光吸収性を有していてもよい。【００２３】
本発明の一つの態様の採光装置において、前記第２面は、前記プリズム構造体の長手方向に垂直な断面形状が曲線状をなしていてもよい。【００２４】
本発明の一つの態様の採光装置は、室外から入射した光の光路を曲げ、室内の所定の方向に向けて射出させる光透過性を有する第１のスラットと、前記第１のスラットの下部に配置され、室外から入射した光を遮蔽もしくは拡散透過させる第２のスラットと、前記第１のスラットまたは前記第２のスラットのうち、少なくとも一方のスラットを駆動する駆動機構と、太陽の位置に応じて前記少なくとも一方のスラットの傾斜角を変化させるように前記駆動機構を制御する制御部と、を備え、前記第１のスラットは、鉛直面内において光の向きを変化させる複数のプリズム構造体を有し、前記プリズム構造体は、主に前記光の反射面として機能し、前記第１のスラットの基準面と角度αをなす第１面と、前記光の入射面もしくは射出面として機能し、前記基準面と角度βをなす第２面と、を少なくとも有する。【００２５】
本発明の一つの態様の採光装置において、前記第２のスラットは、前記第１のスラットと連動もしくは独立して駆動されることにより、傾斜角が変更可能とされていてもよい。【００２６】
本発明の一つの態様の採光装置は、前記採光装置の周辺の直達光を検出する直達光検出部を備え、前記制御部は、前記直達光検出部が検出した直達光に基づいて前記第１のスラットの傾斜角を制御してもよい。【００２７】
本発明の一つの態様の採光システムは、本発明の一つの態様の採光装置と、一対のガラス板が間隔を隔てて対向して配置された複層ガラスと、を備えており、前記採光装置が前記一対のガラス板の間に設けられている。【００２８】
本発明の一つの態様の採光システムは、本発明の一つの態様の採光装置と、室内照明具と、室内の明るさを検出する検出部と、前記室内照明具と前記検出部とを制御する制御部と、を備え、前記制御部は、前記検出部が検出した照度に基づいて前記室内照明具を制御してもよい。
【発明の効果】
【００２９】
本発明の一つの態様によれば、グレアの抑制と効率の良い採光を両立できる採光装置、および採光システムを提供することができる。
【図面の簡単な説明】
【００３０】
【図１】第１実施形態の採光装置の斜視図である。
【図２】採光装置の側面図である。
【図３Ａ】採光スラットの正面図である。
【図３Ｂ】図３ＡのＡ−Ａ’線に沿う断面図である。
【図４】採光スラットの斜視図である。
【図５】採光部の断面図である。
【図６Ａ】採光装置の作用を説明するための第１の図である。
【図６Ｂ】採光装置の作用を説明するための第２の図である。
【図６Ｃ】採光装置の作用を説明するための第３の図である。
【図７】座標系の変換を説明するための図である。
【図８】光の進行方向をベクトルで示す図である。
【図９】室外側にプリズム構造体を備えた採光スラットを回転させない状態での１回反射光の光路を示す図である。
【図１０】高度の符号を説明するための図である。
【図１１】採光スラットを回転させた状態での１回反射光の光路を示す図である。
【図１２】スラット回転角の符号を説明するための図である。
【図１３】変形例の採光スラットを回転させた状態での１回反射光の光路を示す図である。
【図１４】室内側にプリズム構造体を備えた採光スラットを回転させた状態での１回反射光の光路を示す図である。
【図１５Ａ】採光スラットの回転による作用を説明するための第１の図である。
【図１５Ｂ】採光スラットの回転による作用を説明するための第２の図である。
【図１６】入射角度と射出角度との関係を示す図である。
【図１７Ａ】採光部における光の反射回数による光路の様子を示す第１の図である。
【図１７Ｂ】採光部における光の反射回数による光路の様子を示す第２の図である。
【図１７Ｃ】採光部における光の反射回数による光路の様子を示す第３の図である。
【図１８】太陽高度および方位を変化させた際の射出光のシミュレーション結果を示す図である。
【図１９】太陽高度および方位を変化させた際の射出光のシミュレーション結果を示す図である。
【図２０】太陽高度および方位を変化させた際の射出光のシミュレーション結果を示す図である。
【図２１】太陽高度および方位を変化させた際の射出光のシミュレーション結果を示す図である。
【図２２】太陽高度および方位を変化させた際の射出光のシミュレーション結果を示す図である。
【図２３】太陽高度および方位を変化させた際の射出光のシミュレーション結果を示す図である。
【図２４】太陽高度および方位を変化させた際の射出光のシミュレーション結果を示す図である。
【図２５】太陽高度および方位を変化させた際の射出光のシミュレーション結果を示す図である。
【図２６】太陽高度および方位を変化させた際の射出光のシミュレーション結果を示す図である。
【図２７】比較例の採光スラットにおける射出光のシミュレーション結果を示す図である。
【図２８】比較例の採光スラットにおける射出光のシミュレーション結果を示す図である。
【図２９】比較例の採光スラットにおける射出光のシミュレーション結果を示す図である。
【図３０】比較例の採光スラットにおける射出光のシミュレーション結果を示す図である。
【図３１】第１変形例の採光スラットの斜視図である。
【図３２】第１変形例の採光スラットの断面図である。
【図３３】第１変形例の採光スラットの効果を説明するための図である。
【図３４】第２変形例の採光スラットの断面図である。
【図３５】第３変形例の採光スラットの断面図である。
【図３６】第４変形例の採光スラットの斜視図である。
【図３７】第４変形例の採光スラットの他の例を示す斜視図である。
【図３８】第５変形例の採光スラットの断面図である。
【図３９】第６変形例の採光スラットの断面図である。
【図４０】第７変形例の採光スラットの断面図である。
【図４１】第２実施形態の採光装置の斜視図である。
【図４２Ａ】採光装置の動作方式の一例を説明するための第１の図である。
【図４２Ｂ】採光装置の動作方式の一例を説明するための第２の図である。
【図４２Ｃ】採光装置の動作方式の一例を説明するための第３の図である。
【図４３】第３実施形態の採光装置の斜視図である。
【図４４Ａ】採光装置の動作方式の他の例を説明するための第１の図である。
【図４４Ｂ】採光装置の動作方式の他の例を説明するための第２の図である。
【図４４Ｃ】採光装置の動作方式の他の例を説明するための第３の図である。
【図４４Ｄ】採光装置の動作方式の他の例を説明するための第４の図である。
【図４５Ａ】第４実施形態の採光装置の動作方式の一例を説明するための第１の図である。
【図４５Ｂ】第４実施形態の採光装置の動作方式の一例を説明するための第２の図である。
【図４５Ｃ】第４実施形態の採光装置の動作方式の一例を説明するための第３の図である。
【図４６】第５実施形態の採光システムの斜視図である。
【図４７】採光システムの断面図である。
【図４８】第６実施形態の採光システムを設置した部屋の断面図である。
【図４９】部屋の天井を示す平面図である。
【図５０】採光装置によって室内に採光された光（自然光）の照度と、室内照明装置による照度（照明調光システム）との関係を示すグラフである。
【発明を実施するための形態】
【００３１】
以下、本発明の実施形態について、図面を参照して説明する。
なお、以下の説明に用いる各図面では、各部材を認識可能な大きさとするため、各部材の縮尺を適宜変更している。
また、以下の説明において、採光装置の位置関係（上下、左右、前後）については、採光装置の使用時における位置関係（上下、左右、前後）に基づくものとし、特に説明がない限りは、図面においても、採光装置の位置関係は、紙面に対する位置関係と一致するものとする。
【００３２】
［第１実施形態］
以下、本発明の第１実施形態について、図１〜図１２を用いて説明する。
図１は、第１実施形態の採光装置を示す斜視図である。図１において、採光装置１に向かって見た場合、上下方向（鉛直方向）をｙ方向、左右方向をｘ方向、手前、奥方向をｚ方向とする。
図２は、第１実施形態の採光装置を側方から見た図である。
【００３３】
図１および図２に示すように、採光装置１は、複数の採光スラット２からなる採光ユニット３と、支持機構４と、駆動機構５と、制御部６と、を備えている。複数の採光スラット２は、互いに間隔を空けて鉛直方向（ｙ方向）に吊り下げられている。各々の採光スラット２は、採光スラット２の長手方向が水平方向（ｘ方向）に向くように配置されている。支持機構４は、複数の採光スラット２を昇降自在、かつ回転自在に支持している。採光スラット２は、採光スラット２の上側が室内側に倒れる向きに回転できるように構成されている。
本実施形態の採光スラット２は、特許請求の範囲の第１のスラットに対応する。本実施形態の駆動機構５は、特許請求の範囲の第１の駆動機構に対応する。
【００３４】
図３Ａ、図３Ｂは、採光スラット２の概略構成を示す図であり、図３Ａは正面図であり、図３Ｂは図３ＡのＡ−Ａ’線に沿う断面図である。
図３Ａ、図３Ｂに示すように、採光スラット２は、光透過性を有する基材８と、採光部９と、を備える。採光スラット２は、室外から入射した太陽光の光路を曲げ、室内の所定の方向に向けて射出させる。
【００３５】
基材８は、一方向（Ｘ方向）に延在する長尺の板状部材である。基材８は、採光部９を支持する支持部材として機能する。採光部９は、基材８の第１面８ａに設けられている。
本実施形態の場合、基材８の第１面８ａを室外側の面とし、基材８の第２面８ｂを室内側の面とする。したがって、採光部９は、基材８の室外側に設けられている。ただし、採光部９は、基材８の室内側に設けられていてもよい。また、採光部９は、基材８と別体であってもよいし、一体に形成されていてもよい。
【００３６】
採光スラット２の長手方向における長さＬは、例えば５０〜３０００ｍｍ程度である。
採光スラット２の短手方向における長さ（スラット幅）Ｗ１は、例えば１５〜３５ｍｍ程度である。採光スラット２の厚みＴは、例えば０．１〜３ｍｍ程度である。
【００３７】
図３Ｂに示すように、採光部９は、複数のプリズム構造体１３と、空隙部１４と、を備える。プリズム構造体１３は、光透過性を有する。空隙部１４は、隣り合う２つのプリズム構造体１３の間に設けられた空間であり、この空間には空気が存在している。図３Ｂおよび以降の図面では、５個のプリズム構造体１３のみを示しているが、実際にはより多くのプリズム構造体１３を備えている。
【００３８】
プリズム構造体１３は、例えばアクリル樹脂、エポキシ樹脂、シリコーン樹脂等の光透過性および感光性を有する有機材料で構成されている。または、これらの有機材料に、重合開始剤やカップリング剤、モノマー、有機溶媒等を混合した材料を用いることができる。さらに、重合開始剤は、安定剤、禁止剤、可塑剤、蛍光増白剤、離型剤、連鎖移動剤、他の光重合性単量体等のように、各種の添加成分を含んでいてもよい。その他、特許第４１２９９９１号公報に記載の材料を用いることができる。プリズム構造体１３の全光線透過率は、ＪＩＳ  Ｋ７３６１−１の規定で９０％以上が好ましい。これにより、十分な透明性を得ることができる。
【００３９】
図４および図５に示すように、プリズム構造体１３は、採光スラット２の長手方向（ｘ方向）に延在する。複数のプリズム構造体１３は、採光スラット２の短手方向（ｙ方向）に並んで設けられている。プリズム構造体１３は、３角柱状の透明構造体である。すなわち、プリズム構造体１３の長手方向に垂直な断面の形状は、３角形である。プリズム構造体１３は、鉛直面内において、入射した太陽光の向きを変化させる。なお、プリズム構造体１３の形状は、後述するように、３角柱状に限られず、３角柱以外の多角柱状等であってもよく、特に限定されない。
【００４０】
図５に示すように、プリズム構造体１３は、入射した光を反射させる反射面として主に機能する第１面１３ａと、太陽光が入射する入射面として主に機能する第２面１３ｂと、基材８の第１面８ａに接する第３面１３ｃと、を有する。以下、基材８の第１面８ａを採光スラット２の基準面Ｊとする。このとき、基準面Ｊと第１面１３ａとのなす角度をαとし、基準面Ｊと第２面１３ｂとのなす角度をβとすると、角度αは５１°〜９０°程度である。また、角度βは３３°〜９０°程度である。ただし、角度αと角度βとは等しくなくてよい。
【００４１】
窓ガラスを透過した太陽光Ｌが、プリズム構造体１３に入射し、基材８から射出される際の経路はいくつか考えられるが、図５に典型的な経路を示す。図５に示すように、窓ガラスを透過した太陽光Ｌは、第２面１３ｂからプリズム構造体１３に入射すると、第１面１３ａで反射した後、基材８に入射し、基材の第２面８ｂから射出される。
【００４２】
この例では、隣り合うプリズム構造体１３の間には空気が存在し、この部分が空隙部１４を構成している。この構成に代えて、隣り合うプリズム構造体１３の間に他の低屈折率材料が充填されていてもよい。しかしながら、プリズム構造体１３と空隙部１４との界面の屈折率差は、空隙部１４にいかなる低屈折率材料が存在する場合よりも空気が存在する場合に最大となる。したがって、隣り合うプリズム構造体１３の間の空隙部１４に空気が存在する場合は、図５に示すように、スネル（Snell）の法則より、プリズム構造体１３に入射した太陽光Ｌのうち、第１面１３ａで全反射する光の臨界角が最も小さくなる。
【００４３】
この場合、第１面１３ａで全反射される光Ｌの入射角の範囲が最も広くなることから、プリズム構造体１３に入射した光を基材８の第２面８ｂ側に効率良く導くことができる。
その結果、プリズム構造体１３に入射した光Ｌの損失が抑えられ、基材８の第２面８ｂから射出される光の強度を高めることができる。
【００４４】
基材８の屈折率とプリズム構造体１３の屈折率とは、略同等であることが望ましい。すなわち、基材８とプリズム構造体１３とは、一体に形成されていることが望ましい。例えば、基材８の屈折率とプリズム構造体１３の屈折率とが大きく異なる場合、光がプリズム構造体１３から基材８に入射したときに、これらプリズム構造体１３と基材８との界面で不要な光の屈折や反射が生じることがある。この場合、所望の採光特性が得られない、輝度が低下するなどの不具合が生じる虞があるからである。
【００４５】
図１に示すように、支持機構４は、鉛直方向（ｙ方向）に平行に並ぶ複数のラダーコード１６と、複数のラダーコード１６の上端部を支持するヘッドボックス１７と、複数のラダーコード１６の下端部に取り付けられる昇降バー１８とを備えている。
【００４６】
駆動機構５は、ヘッドボックス１７の内部に収容されている。駆動機構５は、各採光スラット９を回転させる回転ドラム（図示略）、複数の採光スラット９を昇降させる昇降ドラム（図示略）、回転ドラムおよび昇降ドラムを回転させるモーター（図示略）等を備える。
【００４７】
制御部６は、中央演算部２０と、メモリ２１と、を備える。制御部６は、中央演算部２０により各時刻での採光スラット２の傾斜角を演算し、太陽の位置に応じて複数の採光スラット２の傾斜角を変化させるように、駆動機構５の回転ドラムを制御する。
【００４８】
メモリ２１には、例えば（１）光の入射角度（地平面に対する光の入射角、採光面に対する光の入射方位）、採光スラット２の傾斜角度、および光の射出角度の相関関係、（２）光の入射角度と採光スラット２の傾斜角度との相関関係、（３）日時と採光スラット２の傾斜角度との相関関係、のいずれかが、数式もしくはテーブルの形態で格納されている。
本実施形態のメモリ２１は、特許請求の範囲の記憶部に対応する。
【００４９】
上記（３）の場合、設置場所の太陽の位置、設置面の方位、オフセット角を予め指定して相関関係を作るため、設置場所ごとに設置者による対応が必要となる。
【００５０】
上記（２）の場合、太陽の位置については、例えばＧＰＳにより設置場所の緯度および経度を取得することで自動的に計算できるため、設置する地域ごとに相関関係を用意する必要がなくなる。また、設置場所の方位については、地磁気センサにより取得することができるため、設置面の方位の変更にも自動的に対応が可能である。ただし、建物のサイズに応じてオフセット角δを設定するような場合（例えば部屋の奥行きが広ければオフセット角δを小さく、部屋の奥行きが狭ければオフセット角δを大きくすることで部屋全体を照らす）には、オフセット角δごとにメモリに格納する相関関係が異なる。
【００５１】
上記（１）の場合、設置者による相関関係の設定は不要であり、オフセット角δをユーザーが自由に設定でき、太陽の位置、設置面の方位、オフセット角の設定を変更するだけで自動的に相関関係を更新することができるため、最も汎用的である。上記（１）、（２）の場合ともに、演算は時刻ごとに毎回行う必要がなく、採光装置を設置する際に一度行い、その後は対応表を持っていればよい。以降は、パラメーターの変更があった時のみ再度演算すればよい。
【００５２】
その他、メモリ２１には、採光装置１が設置された採光スラット２の幅およびピッチなどを含む採光装置１の情報テーブル等が格納されていてもよい。
【００５３】
上記の構成を有する採光装置１は、窓サッシ等の上部から吊り下げられた状態で、窓ガラスの室内側もしくは室外側に設置される。また、採光装置１が窓ガラスの室内側に設置される場合、採光スラット２は、プリズム構造体１３側が室内側を向くように配置されてもよいし、プリズム構造体１３側が室外側を向くように配置されてもよい。
【００５４】
第１実施形態の採光装置１によれば、任意の日付および時刻において、採光装置１に入射した太陽光（直射光）を部屋の床面と平行な水平面から、後述するオフセット角だけ上方もしくは下方に射出するように、採光スラット２の傾斜角を制御することができる。
【００５５】
もしくは、採光装置１がオフセット角を設定するためのリモコンを備えてもよい。この場合、ユーザーは、リモコンを用いて室内の明るさや眩しさに応じて採光スラット２の傾斜角を調整することができる。
【００５６】
例えば、従来からリモコンを備えた電動遮光ブラインドが知られているが、遮光ブラインドの場合には、光の反射のみが生じるため、スラット角度と射出角度との関係は概ね線形である。これに対して、本実施形態のような採光装置の場合には、光の反射に加えて光の屈折も生じるため、スラット角度と射出角度との関係は非線形である。例えば射出角度を１度変化させたい場合であっても、スラット角度を何度変えればよいかは、日時によって異なる。その点、第１実施形態の採光装置１では、射出角度と光の入射角度、スラット傾斜角の相関関係が分かっているため、年間通して所望の射出角度に制御することができる。
【００５７】
以下、採光スラット２の延在方向（ｘ方向）と複数の採光スラット２の配列方向（ｙ方向）とがなす仮想面を、採光面と定義する。本実施形態の場合、採光スラット２の傾斜角に係わらず、採光面は、常に鉛直面と一致する。
【００５８】
以下、説明を簡略化するため、採光スラット２の基準面Ｊの法線方向の方位と太陽の方位とのなす角度が０°である場合として説明する。
採光スラット２の基準面Ｊに直交する平面Ｋに対する光の入射高度をθs_inとし、基準面Ｊに直交する平面Ｋに対する光の射出高度をθs_outとする。なお、ここで言う基準面Ｊとは、上述したように、採光スラット２のうち、基材８の第１面８ａのことである。
【００５９】
また、水平面Ｈに対する光の入射高度をθh_inとし、水平面Ｈに対する光の射出高度をθh_outとする。ここで言う水平面Ｈとは、地平座標系における地平線のなす平面に一致する面である。したがって、水平面Ｈに直交する方向は、天頂方向に相当する。この場合、採光装置１に対して天井の方向が天頂方向となり、床の方向が天底方向となる。
【００６０】
すなわち、太陽が同じ高度にあったとして、採光スラット２の基準面Ｊに直交する平面Ｋに対する光の入射高度θs_inおよび光の射出高度θs_outは、採光スラット２の回転に応じて変化する。一方、水平面Ｈに対する光の入射高度θh_inおよび光の射出高度θh_outは、採光スラット２が回転しても変化しない。
水平面Ｈに対する光の入射高度θh_inは、太陽高度に相当する。
【００６１】
従来の電動ブラインドにおいて、スラットは、金属、木材等で構成されることが多い。
そのため、基本的に、スラットの角度は直射光が遮蔽されるように制御され、採光効果はほとんど得られない。これに対して、第１実施形態の採光装置１においては、グレアを抑えつつ、直射光を効率的に採光することができる。
【００６２】
以下、採光装置１において、採光スラット２が回転することの効果について説明する。
なお、以下で言う水平面Ｈは、地平座標系における地平線のなす平面に一致する面であって、建物の床面と平行な面である。
【００６３】
上記の特許文献１に記載されているように、固定型の光透過性スラットを備えた従来の採光装置においては、太陽の位置の変動により光の射出角度も変動する。そのため、直射光を部屋の奥側まで効率良く導光することが難しい。
例えば、図６Ａに示すように、採光スラット２が鉛直面Ｓに対して傾斜していない状態で、太陽光Ｌの入射高度θs_in＝θh_in＝３０°のとき、太陽光Ｌの射出高度θs_out＝θh_out＝０°であり、基準面Ｊに直交する平面Ｋに対する太陽光Ｌの入射高度の変化量をΔθs_inとし、基準面Ｊに直交する平面Ｋに対する太陽光Ｌの射出高度の変化量をΔθs_outとしたとき、Δθs_in＝Δθs_outとなるような特性を持つ場合を考える。すなわち、θs_out＝θs_in−３０°で表せられる関係を持つ場合を考える。
【００６４】
この場合、採光スラット１４０が傾斜しない方式の比較例の採光装置（スラット固定方式の採光装置）においては、図６Ｂに示すように、水平面Ｈに対する光の入射高度θh_in＝５０°になると、水平面Ｈに対する太陽光Ｌの射出高度はθh_out＝２０°となる。さらに、太陽高度が高くなる、すなわち、太陽光Ｌの入射角度が大きくなると、それに伴って射出角度が大きくなる。したがって、室内に採り込まれた太陽光Ｌは、水平面Ｈから離れて窓の近傍に向かうため、室内の奥側を照らすことが難しくなる。
【００６５】
これに対して、本実施形態の採光装置１では、制御部６の制御により採光スラット２を傾斜させることができる構成となっている。そのため、図６Ｃに示すように、水平面Ｈに対する光の入射高度θh_inが５０°のときに、採光スラット２を回転させ、採光スラット２の回転角γの大きさを１０°とすると、基準面Ｊに直交する平面Ｋに対する入射高度θs_inは４０°となる。このとき、基準面Ｊに直交する平面Ｋに対する射出高度θs_outは１０°となる。これにより、水平面Ｈに対する射出高度θh_outは０°となる。このように、太陽高度の変動を採光スラット２の回転（傾斜）により相殺することができ、部屋の奥側を安定して照らすことができる。以下、採光スラットの回転角γを、スラット回転角γと称する。
【００６６】
以上、採光スラット２の基準面Ｊの法線方向の方位と太陽の方位とのなす角度が０°である場合においてθs_out＝θs_in−３０°という関係が成り立つ場合で、スラット回転角γの演算方法の一例を説明した。なお、この例は、本実施形態の採光装置１の効果をわかりやすく説明するためのものであり、基準面Ｊの法線方向の方位と太陽の方位とのなす角度が０°である場合にのみ成立する。
【００６７】
以下、制御部６による採光スラット２の制御方法について、より具体的な一例を説明する。ここでは、方位の概念も考慮しつつ説明する。また、以下の説明では、採光スラット２を基準とした高度および方位の概念をなくし、高度および方位は、全てθh_in、φh_in、θh_out、φh_out等の水平面を基準とした角度で示す。したがって、以下では、θh_in、φh_in、θh_out、φh_outのｈの添え字を省略し、単にθin、φin、θout、φoutと表記する。
なお、以下の例では、採光装置１を建物の床面と採光面とが垂直な位置関係にある側窓に設置することを前提とする。ただし、以下の設計は、床面と採光面とが垂直な位置関係にあるか否かに係わらず、床面に対する角度で計算することが可能である。
【００６８】
最初に、直交座標系と地平座標系との座標変換は、以下のようになる。
図７に示すように、ｘｙｚ直交座標系のｘｚ平面とベクトルＬとのなす角度をθとし、ｘｚ平面へのベクトルＬの射影とｚ軸とのなす角度をφとする。このとき、ベクトルＬの直交座標系から地平座標系への座標変換は、（５）式のように表すことができる。
【００６９】
【数１】
2017188318.tif 000003
【００７０】
また、３次元空間における光線の式は、以下のように考えられる。
図８に示すように、屈折率ｎＡと屈折率ｎＢとの界面に入射する入射光をベクトルＬで示し、反射光をベクトルＲで示し、屈折光をベクトルＴで示す。また、法線ベクトルをＮとする。ただし、法線ベクトルＮは、入射光ベクトルＬとのなす角度が９０°以下になる向きに設定する。なお、基材の射出側の物質の屈折率をｎＣとする。
【００７１】
反射の法則により、以下の（６）式が導出される。
【００７２】
【数２】
2017188318.tif 000004
【００７３】
ただし、各光線ベクトルの大きさ｜Ｌ｜、｜Ｒ｜、｜Ｔ｜は媒質の屈折率である。具体的には、｜Ｌ｜＝｜Ｒ｜＝ｎＡであり、｜Ｔ｜＝ｎＢである。また、法線ベクトルの大きさ｜Ｎ｜は１とする。
【００７４】
光線屈折式（３次元空間でのスネルの法則）から、以下の（７）式が導出される。
【００７５】
【数３】
2017188318.tif 000005
【００７６】
ただし、ｎＢ２−ｎＡ２＋ｃ２＜０のときには、光線は界面において全反射する。
【００７７】
［室外側にプリズム構造体を有する場合：スラット回転前］
図９は、採光スラットを回転させない状態において、プリズム構造体１３の第１面１３ａで１回反射して、基材８から射出される光の光路を示す。
以下、プリズム構造体の第１面で１回反射して射出される光を１回反射光と称する。
ここで、入射光ベクトルをＬ０とし、第２面１３ｂでの屈折光ベクトルをＴ１とし、第１面１３ａでの反射光ベクトルをＲ２とし、基材８からの射出光ベクトルをＴ３とする。
第２面１３ｂに対する法線ベクトルをＮ１とし、第１面１３ａに対する法線ベクトルをＮ２とし、基材８の第２面８ｂに対する法線ベクトルをＮ３とする。
【００７８】
プリズム構造体１３の第１面１３ａと基材８の第１面８ａとのなす角度をαとし、プリズム構造体１３の第２面１３ｂと基材８の第１面８ａとのなす角度をβとしたとき、０°＜α≦９０°および０°≦β≦９０°を満たす。室外側にプリズム構造体を有する場合、光は、主に第２面１３ａに入射し、第１面１３ａで反射した後、基材８を通して射出される。そのため、第１面１３ａよりも第２面１３ｂに光が入射しやすい方が好ましい。そのため、α≧βが好ましい。ｎＡ、ｎＢ、ｎＣの値を、ｎＡ＝ｎＣ＝１、１．４９≦ｎＢ≦１．６５として設計した結果、グレアの抑制と採光性能の増大とを両立させる条件として、好ましくは、６４°≦α≦９０°、４２°≦β≦９０°である。
【００７９】
また、入射高度をθinとし、入射方位をφinとし、射出高度をθoutとし、出射方位をφoutとしたとき、−９０°≦θin≦９０°、−９０°≦φin≦９０°、−９０°≦θout≦９０°、−９０°≦φout≦９０°、を満たす。これらのパラメーターはｙ軸を天頂とする地平座標系で示しており、高度については、図１０に示すように、水平面に対して反時計回りを正の値で表し、時計回りを負の値で表す。なお、座標系において、ｘ軸が負から正に向かう方向で見たとき、水平面に対して反時計回りを正の値で表し、時計回りを負の値で表すものとする。仮にｘ軸が正から負に向かう方向で見ると、図１０とは逆に、水平面に対して時計回りが正の値となり、反時計回りが負の値となる。
そのため、太陽光が上空より入射して室内の天井側に反射する場合、θin＜０、θout＞０となる。
【００８０】
上記の反射の式（６）および屈折の式（７）を用いて、屈折光ベクトルＴ１、反射光ベクトルＲ２、および射出光ベクトルＴ３を求めると、それぞれ以下の（８）、（９）、（１０）式が導出される。
【００８１】
【数４】
2017188318.tif 000006
【００８２】
【数５】
2017188318.tif 000007
【００８３】
【数６】
2017188318.tif 000008
【００８４】
（８）、（９）、（１０）式から、（１１）式が導出される。
【００８５】
【数７】
2017188318.tif 000009
【００８６】
ただし、（１１）式中の法線ベクトルＮ１、Ｎ２、Ｎ３は、それぞれ以下の（１２）、（１３）、（１４）式の通りである。
【００８７】
【数８】
2017188318.tif 000010
【００８８】
【数９】
2017188318.tif 000011
【００８９】
【数１０】
2017188318.tif 000012
【００９０】
［室外側にプリズム構造体を有する場合：スラット回転後］
図１１は、採光スラットを回転させた状態における１回反射光の光路を示す。
ここで、スラット回転角γについては、図１２に示すように、採光スラット２を反時計回りに回転させる場合を正の値で表し、時計回りに回転させる場合を負の値で表す。この場合、採光スラット２の上端を室内側に回転させる場合、スラット回転角γが負であり、採光スラット２の上端を室外側に回転させる場合、スラット回転角γが正である。
スラット回転角γの取り得る範囲は、−９０°≦γ≦９０°である。
【００９１】
採光スラットをスラット回転角γだけ回転させた場合、法線ベクトルＮ１、Ｎ２、Ｎ３は、それぞれ以下の（１５）、（１６）、（１７）式のようになる。
【００９２】
【数１１】
2017188318.tif 000013
【００９３】
【数１２】
2017188318.tif 000014
【００９４】
【数１３】
2017188318.tif 000015
【００９５】
上記の（１１）式について、ｙ成分について展開すると、以下の（１８）式が導出される。
【００９６】
【数１４】
2017188318.tif 000016
【００９７】
さらに、（１８）式をθoutについて解くとともに、θoutがオフセット角δ以上のときに光は水平方向または天井側に向けて射出されることから、以下の（１９）式が導出される。
【００９８】
【数１５】
2017188318.tif 000017
【００９９】
制御部６のメモリ２１には、θout＝ｆ（θin，φin、γ）の相関関係がテーブルもしくは数式の形態で予め記憶されている。そこで、制御部６の中央演算部２０は、（１９）式において、メモリ２１に記憶された相関関係に基づいて、θout≧δを満たす最小のスラット回転角γを求める。γが正の場合であっても負の場合であっても、γ＝０°から|γ|を１°ずつ大きくすることにより、スラット回転角γを数値的に求めることができる。この計算は基本的には採光装置の設置時に１回行えばよく、その後は日時とスラット回転角γとの対応表をメモリ２１に格納しておけばよい。
【０１００】
［異なる構成の採光スラットを用いた場合：回転後］
以下、異なる構成の採光スラットを用いた場合について説明する。
図１３は、異なる採光スラットを回転させた場合の１回反射光の光路を示す。
ここでは、長手方向に垂直な断面の形状が４角形のプリズム構造体８０を備えた採光スラットの例を示す。
【０１０１】
プリズム構造体８０は、入射した光を反射させる反射面として主に機能する第１面８０ａと、太陽光が入射する入射面として主に機能する第２面８０ｂと、一辺が第２面８０ｂに接する第３面８０ｃと、基材８の第１面８ａに接する第４面８０ｄと、を有する。第２面８０ｂと第４面８０ｄとは、互いに平行である。基材８の第１面８ａ（採光スラット２の基準面）と第２面８０ｂとのなす角度がβであるから、このプリズム構造体８０の形状は、β＝０°の例である。
【０１０２】
また、β＝０°のようにβの値が小さい場合には、太陽高度が低いときに、光が反射面に入射することなく、採光スラットを透過していく場合がある。そのため、グレアの抑制と採光性能の増大とがトレードオフの関係にある。
【０１０３】
採光スラットをスラット回転角γだけ回転させた場合、法線ベクトルＮ１、Ｎ２、Ｎ３は、それぞれ以下の（２０）、（２１）、（２２）式のように表される。
【０１０４】
【数１６】
2017188318.tif 000018
【０１０５】
【数１７】
2017188318.tif 000019
【０１０６】
【数１８】
2017188318.tif 000020
【０１０７】
上記の（１１）式について、ｙ成分について展開すると、以下の（２３）式が導出される。
【０１０８】
【数１９】
2017188318.tif 000021
【０１０９】
さらに、（２３）式をθoutについて解くとともに、θoutがオフセット角δ以上のときに光は水平方向または天井側に向けて射出されることから、以下の（２４）式が導出される。
【０１１０】
【数２０】
2017188318.tif 000022
【０１１１】
制御部６のメモリ２１には、θout＝ｆ（θin，φin、γ）の相関関係がテーブルもしくは数式の形態で予め記憶されている。そこで、制御部６の中央演算部２０は、（２４）式において、メモリ２１に記憶された相関関係に基づいて、θout≧δを満たす最小のスラット回転角γを求める。γが正の場合であっても負の場合であっても、γ＝０°から|γ|を１°ずつ大きくすることにより、スラット回転角γを数値的に求めることができる。この例でも、この計算は基本的には採光装置の設置時に１回行えばよく、その後は日時とスラット回転角γとの対応表をメモリ２１に格納しておけばよい。
【０１１２】
なお、隣り合うプリズム構造体８０間の空隙部８１には、空気が存在していてもよいし、例えば後述の図３５に示すように、プリズム構造体８０の屈折率ｎＢよりも低い屈折率ｎＡを有する低屈折率材が充填されていてもよい。また、基材８の枚数は１枚に限ることなく、複数枚で構成されていてもよい。
【０１１３】
［室内側にプリズム構造体を有する場合：スラット回転後］
以下、室内側にプリズム構造体８３を有する採光スラットを用いた場合について説明する。
図１４は、室内側にプリズム構造体８３を有する採光スラットを回転させた場合の１回反射光の光路を示す。
ここでは、図１１と同様、長手方向に垂直な断面の形状が３角形のプリズム構造体８３を備えた採光スラットの例を示す。
【０１１４】
プリズム構造体８３の第１面８３ａと基材８の第１面８ａとのなす角度をαとし、プリズム構造体８３の第２面８３ｂと基材８の第１面８ａとのなす角度をβとしたとき、０°＜α≦９０°および０°≦β≦９０°を満たす。室内側にプリズム構造体を有する場合、光は、主に基材を通して入射し、第１面８３ａで反射した後、第２面８３ｂから射出される。そのため、第２面８３ｂよりも第１面８３ａに光が入射しやすい方が好ましい。そのため、α≦βが好ましい。ｎＡ＝ｎＣ＝１，１．４９≦ｎＢ≦１．６５で設計したときのαおよびβの範囲は、グレアの抑制と採光性能の増大とを両立させる条件として、好ましくは、５１°≦α≦８３°、３３°≦β≦９０°である。
【０１１５】
採光スラットの上端を室内側に回転させる場合、スラット回転角γは正であり、採光スラットの上端を室外側に回転させる場合、スラット回転角γは負である。
採光スラットをスラット回転角γだけ回転させた場合、法線ベクトルＮ１、Ｎ２、Ｎ３は、それぞれ以下の（２５）、（２６）、（２７）式のように表される。
【０１１６】
【数２１】
2017188318.tif 000023
【０１１７】
【数２２】
2017188318.tif 000024
【０１１８】
【数２３】
2017188318.tif 000025
【０１１９】
上記の（１１）式について、ｙ成分について展開すると、以下の（２８）式が導出される。
【０１２０】
【数２４】
2017188318.tif 000026
【０１２１】
さらに、（２８）式をθoutについて解くとともに、θoutがオフセット角δ以上のときに光は水平方向または天井側に向けて射出されることから、以下の（２９）式が導出される。
【０１２２】
【数２５】
2017188318.tif 000027
【０１２３】
制御部６のメモリ２１には、θout＝ｆ（θin，φin、γ）の相関関係がテーブルもしくは数式の形態で予め記憶されている。そこで、制御部６の中央演算部２０は、（２９）式において、メモリ２１に記憶された相関関係に基づいて、θout≧δを満たす最小のスラット回転角γを求める。γが正の場合であっても負の場合であっても、γ＝０°から|γ|を１°ずつ大きくすることにより、スラット回転角γを数値的に求めることができる。
【０１２４】
以上説明したように、本実施形態の採光装置１によれば、年間もしくは１日を通して太陽の位置が変動しても、グレアを抑えつつ、直射光を部屋の奥側に安定して導光することができ、効率の良い採光を行うことができる。
【０１２５】
上述したように、本実施形態の採光装置１においては、例えば太陽高度（水平面に対する光の入射高度）が高くなった際に採光スラット２を回転させることにより、基材面の法線方向Ｋに対する入射高度を小さくできる効果（第１の効果）と、水平面Ｈに対する射出高度を小さくできる効果（第２の効果）と、が相俟って、光の射出方向を水平方向に近づけることができ、直射光を部屋の奥側まで導くことができる。
【０１２６】
ここで、図１５Ａの符号Ａ１で示す直線のように、Δθout／Δθin＞０、かつθout＞０の関係にあるとき、採光スラット２の上側を室内側に傾ける向き（図１５Ａにおける時計回り）に回転させることにより、光の射出方向を水平方向に近づけることができる。すなわち、採光スラット２を角度γ１だけ回転させる（スラット回転角γ＝γ１）ことによって、基材面の法線方向Ｋに対する入射高度が、採光スラット２が傾いていない（スラット回転角γ＝０）ときの入射高度から角度|γ１|だけ小さくなる効果と、基材面の法線方向Ｋに対する射出高度から角度|γ１|だけ小さくなる効果と、が相俟って、水平面Ｈに対する射出高度は水平方向に近くなる。
【０１２７】
本実施形態のように、平板状の採光スラット２を用いた場合、ラダーコードを使用するブラインドでは、採光スラット２の上側を室内側に傾ける向きにしか、採光スラット２を回転させることができない場合が多い。そのため、Δθout／Δθin＞０、かつθout＞０の関係を満たすことが望ましい。
【０１２８】
次に、図１５Ａの符号Ａ２で示す直線のように、Δθout／Δθin＞０、かつθout＜０の関係にあるとき、採光スラット２の上側を室外側に傾ける向き（図１５Ａにおける反時計回り）に回転させることにより、光の射出方向を水平方向に近づけることができる。すなわち、採光スラット２を角度γ２だけ回転させる（スラット回転角γ＝γ２）ことによって、基材面の法線方向Ｋに対する入射高度が、採光スラット２が傾いていない（スラット回転角γ＝０）ときの入射高度から角度γ２だけ大きくなる効果と、基材面の法線方向Ｋに対する射出高度から角度γ２だけ大きくなる効果と、が相俟って、水平面Ｈに対する射出高度は水平方向に近くなる。
【０１２９】
上述したように、採光スラットの形態として、平板状の採光スラット２を用いた場合には、一方の向きにしか傾けることができない場合が多いが、長手方向に垂直な断面形状がＹ字状、もしくはＴ字状の採光スラットを用いれば、室内側、室外側のいずれの向きにも回転させることが可能である。この場合、Δθout／Δθin＞０、かつθout＞０の関係を満たす場合、Δθout／Δθin＞０、かつθout＜０の関係を満たす場合のいずれであっても、スラット回転角を最小にすることができる。
【０１３０】
次に、図１５Ｂの符号Ｂ１およびＢ２で示す直線のように、Δθout／Δθin＜０の関係にあるときには、上記の第１の効果と第２の効果とが打ち消し合う関係にある。そのため、採光スラット２をいずれの向きに回転させても、光の射出方向を水平方向に近づけることは難しい。ただし、Δθout／Δθinの傾きの絶対値が十分に大きい、もしくはΔθout／Δθinの傾きが０に近い場合に限って、射出高度を小さくできる可能性はある。なお、Δθout／Δθin＝−１のときはスラット回転効果が全くない。
【０１３１】
以上の考察により、射出高度θoutを小さくする、すなわち光の射出方向を水平方向に近づけるためには、図１６に示すように、Δθout／Δθin＜０（符号Ｂの直線）とするよりも、Δθout／Δθin＞０（符号Ａの直線）とする方が好ましいことがわかった。
【０１３２】
図１６のΔθout／Δθin＞０（符号Ａの直線）の場合において、θin＝０のとき、θout＝δ０（基準オフセット角）である。また、部屋の窓際から奥側までを幅広く照らすためには、オフセット角は、０°以上、５°以下であることが望ましい。これらのことから、プリズム構造体の形状は、０°＜α≦９０°、かつ、０°≦β≦９０°の範囲で、採光スラットの基準姿勢におけるスラット回転角γ０（本実施形態では、室外側にプリズム構造体を有する場合はγ０＝０°、室内側にプリズム構造体を有する場合はγ０＝−２０°）において、θin＝０°のときのθoutをδ０（基準オフセット角）としたとき、０°≦δ０≦５°を満たす角度αと角度βとの組合せを少なくとも一部に有することが望ましい。すなわち、上記の条件を満たす角度αと角度βとの組合せを多角柱の複数の面のうちの少なくとも２つの角部に有していればよい。そのため、プリズム構造体の形状は、必ずしも３角柱でなくてもよく、３角柱以上の多角柱であってもよい。
【０１３３】
例えばオフセット角が０°、すなわち光が水平方向（床面と平行）に射出された場合、光は窓と対向する壁に当たるため、天井が明るくなりにくく、部屋の中央が明るくなりにくい。そのため、部屋の大きさに合わせて、オフセット角が数度程度となるように、すなわち、光が天井側に向けて数度程度斜め上方に進むようにすることにより、部屋の窓際から奥側までを幅広く照らすことができる。
【０１３４】
具体的には、天井がＨ［ｍ］の部屋を想定し、採光装置を床からＨ０［ｍ］よりも高い位置に設置する場合、天井から採光装置下端までの距離はＨ−Ｈ０［ｍ］となる。このとき、光が採光装置の下端からオフセット角δで射出されると、窓面から奥行き（Ｈ−Ｈ０）／tanδ［ｍ］の天井に光が当たることになる。この距離が部屋の奥行きＤと概ね一致するようにオフセット角δを決めればよい。すなわち、（Ｈ−Ｈ０）／tanδ≦Ｄを満たす最小のオフセット角δが望ましい。
【０１３５】
例えばＨ＝２．７ｍ、Ｈ０＝２．０ｍとしたとき、δ＝２．７°のときにＤ＝１５［ｍ］となり、δ＝５°のときにＤ＝８［ｍ］となり、δ＝１０°のときにＤ＝４［ｍ］となる。奥行き４ｍの部屋では採光装置はあまり必要とされず、奥行き８ｍ以上程度の部屋に採光装置を設置することを想定すると、オフセット角δは５°以下程度で十分である。
【０１３６】
θin＞０°の場合は、採光スラットの傾きを水平射出（δ＝０°）時の採光スラットの傾きよりも基準姿勢に近付けることによって、θoutが天井寄りの角度となるようにマージンを持たせ、グレアのおそれが小さくなるように調節することが可能である。しかしながら、採光スラットを室外側に回転できない機構の場合、θin＝０°の場合、採光スラットの回転では、天井寄りに光を射出するように調整することができない。その場合、採光スラットを設計する段階で、δ０のマージンを持たせる必要がある。
【０１３７】
次に、図１７Ａに示すように、プリズム構造体１３の第１面１３ａに入射した太陽光Ｌが反射することなく、屈折するのみで採光スラット２から射出される場合を想定する。
言い換えると、プリズム構造体１３での反射回数が０回の場合、入射高度θinが増大すると、それに伴って射出高度θoutは減少するため、Δθout／Δθin＜０の関係にある。
また、図１７Ｃに示すように、プリズム構造体１３に入射した太陽光Ｌが偶数回（この例では２回）反射して採光スラット２から射出される場合、入射高度θinが増大すると、それに伴って射出高度θoutは減少するため、Δθout／Δθin＜０の関係にある。
【０１３８】
これに対して、図１７Ｂに示すように、プリズム構造体１３に入射した太陽光Ｌが奇数回（この例では１回）反射して採光スラットから射出される場合、入射高度θinが増大すると、射出高度θoutは増大するため、Δθout／Δθin＞０の関係にある。
したがって、プリズム構造体１３の設計として、（１）微細構造を有すること、（２）奇数回反射の光線経路が存在すること、（３）制御する光の入射角度およびスラット回転角の条件の範囲において奇数回反射光の強度が偶数回反射光の強度よりも大きいこと、（４）（２）と（３）がθout＞０の範囲にあること、の条件を満足することが望ましい。
【０１３９】
ここで、本発明者は、太陽の高度および方位を種々に変化させた際の光の射出高度のシミュレーションを行った。その結果について、図１８〜図２６を用いて説明する。
【０１４０】
シミュレーション条件として、３角柱状のプリズム構造体を備えた採光スラットを用い、屈折率を１．６５とした。なお、屈折率は、１．４９〜１．６５程度の範囲にあることが望ましい。
また、プリズム構造体の下側テーパー角αを７６°とし、上側テーパー角βを６４°とした。
【０１４１】
室外側にプリズム構造体を有する採光スラットについては、（θin，φin）＝（０，０）で基準姿勢（γ０＝０°）のとき、光が水平方向から５°上向きに射出するように設計した（δ０＝５°）。このように、基準姿勢での射出角度は５°であるが、各太陽位置での目標とする射出角度は０°である（δ＝０°）。また、プリズム構造体の下側テーパー角αを７６°とし、上側テーパー角βを６４°とした（（α，β）＝（７６，６４））。
【０１４２】
室内側にプリズム構造体を有する採光スラットについては、（θin，φin）＝（０，０）で基準姿勢（γ０＝−２０°）のとき、光が水平方向から５°上向きに射出することとした（δ０＝５°）。また、プリズム構造体の下側テーパー角αを６２°とし、上側テーパー角βを６９°とした（（α，β）＝（６２，６９））。
【０１４３】
室外側にプリズム構造体を有する採光スラットのシミュレーション結果を図１８〜図２３に示す。
図１８に示すように、（θin，φin）＝（３０，０）の場合、スラット回転角γ＝−１４°とすれば、光Ｌが略水平方向に射出されることが判った。なお、図１８においては、斜め下方向に向けて射出する光Ｌｄが存在する。しかしながら、光Ｌｄは、従来例と異なり、プリズム構造体のいずれかのテーパー面に当たって角度が変わった光である。したがって、光を入射方向の延長線よりも下向きに曲げることで窓の直下（例えば窓から１．５ｍ以内）に光を曲げ、室内の執務者にグレアを感じさせないようにできる。これに対し、従来例は、プリズム構造体で偏向されずに素通りする光の成分が少なからず存在し、この成分がグレアの要因となる。
【０１４４】
図１９に示すように、（θin，φin）＝（５０，０）の場合、スラット回転角γ＝−２３°とすれば、光Ｌが略水平方向に射出されることが判った。
図２０に示すように、（θin，φin）＝（７０，０）の場合、スラット回転角γ＝−３３°とすれば、光Ｌが略水平方向に射出されることが判った。
図２１に示すように、（θin，φin）＝（３０，６０）の場合、スラット回転角γ＝−３６°とすれば、光Ｌが略水平方向に射出されることが判った。
図２２に示すように、（θin，φin）＝（５０，６０）の場合、スラット回転角γ＝−３６°とすれば、光Ｌが略水平方向に射出されることが判った。
図２３に示すように、（θin，φin）＝（７０，６０）の場合、スラット回転角γ＝−３９°とすれば、光Ｌが略水平方向に射出されることが判った。
【０１４５】
室内側にプリズム構造体を有する採光スラットのシミュレーション結果を図２４〜図２６に示す。
図２４に示すように、（θin，φin）＝（３０，０）の場合、スラット回転角γ＝−３８°とすれば、光Ｌが略水平方向に射出されることが判った。
図２５に示すように、（θin，φin）＝（５０，０）の場合、スラット回転角γ＝−４８°とすれば、光Ｌが略水平方向に射出されることが判った。
図２６に示すように、（θin，φin）＝（７０，０）の場合、スラット回転角γ＝−５８°とすれば、光Ｌが略水平方向に射出されることが判った。
【０１４６】
これに対して、室外側にプリズム構造体１１３を有する採光スラット１０２において、６４°≦α≦９０°、４２°≦β≦９０°の角度条件を満たさない比較例の採光スラットのシミュレーション結果を図２７、図２８に示す。
図２７に示すように、（α，β）＝（６３，８９）の場合、スラット回転角γ＝０°とすると、略水平方向に射出される光がほとんど存在しないことが判った。
図２８に示すように、（α，β）＝（８３，４１）の場合、スラット回転角γ＝０°とすると、θout＞−３０となり、グレア光Ｌｇが存在することが判った。
【０１４７】
また、室内側にプリズム構造体１１３を有する採光スラット１０２において、５１°≦α≦８３°、３３°≦β≦９０°の角度条件を満たさない比較例の採光スラットのシミュレーション結果を図２９、図３０に示す。
図２９に示すように、（α，β）＝（８４，３２）の場合、スラット回転角γ＝０°とすると、θout＜０、θout＞−３０の光が存在し、これらがグレア光Ｌｇとなることが判った。
図３０に示すように、（α，β）＝（５０，９０）の場合、スラット回転角γ＝−３０°とすると、θout＞−３０の光が存在し、これがグレア光Ｌｇとなることが判った。
【０１４８】
以上のように、室外側にプリズム構造体を有する採光スラット、室内側にプリズム構造体を有する採光スラットのいずれの場合も、太陽の高度および方位が様々に変化したとしても、プリズム構造体を適切に設計し、採光スラットのスラット回転角γを適切に調整することにより、光を略水平方向に射出させることができ、グレアを抑えられることが判った。
【０１４９】
［採光スラットの変形例］
上記実施形態では、採光スラット２が、基材８に一体化されたプリズム構造体を含む採光部９を備えた例を挙げた。しかしながら、採光スラットは、上記の構成に限らず、種々の構成を採用することが可能である。
【０１５０】
［第１変形例の採光スラット］
図３１および図３２に示すように、第１変形例の採光スラット４０は、基材４１と、基材４１とは別体のプリズム構造体４２を含む採光部４４を備えている。基材４１は、長手方向に平行な折れ線ＯＳを中心として折り曲げられた形状を有している。これにより、採光部４４をより垂直に近い姿勢で制御することができ、太陽高度の上昇に伴って採光スラット４０を傾斜させた際に、プライバシーを守ることができる。基材４１の折れ線ＯＳを境界とした２つの領域４１Ａ，４１Ｂのうち、第１の領域４１Ａに採光部４４が設けられ、第２の領域４１Ｂには採光部４４が設けられていない。また、基材４１の第２の領域４１Ｂは、光吸収性を有している。これにより、採光スラット４０を回転させた際のグレアを低減することができる。基材４１の第２の領域４１Ｂは、第２の領域４１Ｂの部分の基材自体が光吸収性を有していてもよいし、例えば第２の領域４１Ｂの表面に設けられた着色層などによって光吸収性が付与されていてもよい。
【０１５１】
基材４１を構成する第１の領域４１Ａと第２の領域４１Ｂとのなす角度θは、第１の領域４１Ａに形成されるプリズム構造体４２の形状に応じて適宜設定される。なお、基材４１は、基材４１の長手方向に垂直な断面において湾曲し、曲面を有していてもよい。これにより、分光による採光部の着色を低減することができる。また、反射面ではなく、入射面もしくは射出面を曲面とすることにより、光の射出角度のばらつきを小さくすることができる。
【０１５２】
基材４１は、熱可塑性ポリマーや熱硬化性樹脂、光重合性樹脂等の光透過性樹脂から構成される。光透過性樹脂としては、例えばアクリル系ポリマー、オレフィン系ポリマー、ビニル系ポリマー、セルロース系ポリマー、アミド系ポリマー、フッ素系ポリマー、ウレタン系ポリマー、シリコーン系ポリマー、イミド系ポリマー等からなる樹脂を用いることができる。その中でも、例えばポリメタクリル酸メチル樹脂（ＰＭＭＡ）、トリアセチルセルロース（ＴＡＣ）、ポリエチレンテレフタレート（ＰＥＴ）、シクロオレフィンポリマー（ＣＯＰ）、ポリカーボネート（ＰＣ）、ポリエチレンナフタレート（ＰＥＮ）、ポリエーテルサルホン（ＰＥＳ）、ポリイミド（ＰＩ）等を好適に用いることができる。基材４１の全光線透過率は、ＪＩＳ  Ｋ７３６１−１の規定で９０％以上が好ましい。これにより、十分な透明性を得ることができる。
【０１５３】
プリズム構造体４２の構成および形状については、第１実施形態で説明した通りである。
【０１５４】
第１変形例の採光スラット４０においても、グレアを抑制しつつ、効率の良い採光を行うことができる。さらに、太陽高度が低いときには、図３３に示すように、採光スラット４０のプリズム構造体４２を透過して、斜め下方に射出する光ＬＢが発生しやすい。しかしながら、第１変形例の構成であれば、基材４１の第１の領域４１Ａを透過して斜め下方に射出されようとする光ＬＢを第２の領域４１Ｂで吸収させることができる。これにより、グレアを抑制することができる。
【０１５５】
［第２変形例の採光スラット］
図３４に示すように、第２変形例の採光スラット２６は、基材２７と、基材２７に設けられた複数のプリズム構造体２５と、を備えている。プリズム構造体２５のうち、主に反射面として機能する第１面２５ａは平面であり、主に入射面として機能する第２面２５ｂは曲面である。
【０１５６】
第２変形例の採光スラット２６においても、採光スラットのスラット回転角γを適切に調整することにより、グレアを抑制しつつ、効率の良い採光を行うことができる。さらに、光の入射面として機能する第２面２５ｂが曲面であるため、波長分散に起因する色割れを抑制することができる。
【０１５７】
［第３変形例の採光スラット］
図３５に示すように、第３変形例の採光スラット３６は、プリズム構造体３０を含む採光シート３７と、低屈折率材料層３１と、ハードコート層３２と、基材層３３と、接着層３４と、パネル３５と、を備えている。
【０１５８】
第３変形例の採光スラット２６においても、採光スラットのスラット回転角γを適切に調整することにより、グレアを抑制しつつ、効率の良い採光を行うことができる。
【０１５９】
［第４変形例の採光スラット］
図３６に示すように、第４変形例の採光スラット８５は、基材８と、複数のプリズム構造体１３を含む採光シート９と、異方性光拡散シート１１と、を備える。採光スラット８５は、異方性光拡散シート１１を備えた点が上記実施形態と異なる。
【０１６０】
異方性光拡散シート１１は、図示しない接着層により基材８と接着されている。異方性光拡散シート１１は、採光シート９、基材８から順次射出された光Ｌを水平方向に強く拡散させる。具体的には、基材８から射出された光Ｌを、複数のプリズム構造体１３の延在方向に垂直な方向（Ｙ方向）よりも、複数のプリズム構造体１３の延在方向（Ｘ方向）に平行な方向へ強く拡散させる。
【０１６１】
異方性光拡散シート１１は、例えば複数のシリンドリカルレンズを備えたレンチキュラーレンズから構成されていてもよい。複数のシリンドリカルレンズは、各々のシリンドリカルレンズが採光スラット８５の短手方向に延在し、各シリンドリカルレンズの延在方向に垂直な方向に互いに平行に並べられている。つまり、複数のシリンドリカルレンズの配列方向（延在方向）は、上述した採光シート９の複数のプリズム構造体１３の配列方向（延在方向）と直交する。
【０１６２】
シリンドリカルレンズのレンズ面は、水平面内で曲率を持ち、鉛直方向には曲率を持っていない。このため、シリンドリカルレンズは、水平方向に強い光拡散性を有し、鉛直方向には光拡散性を有していない。したがって、光Ｌは、採光シート９（プリズム構造体１３）から射出されたときの上下方向の角度分布を維持したまま、異方性光拡散シート１１において水平方向に拡散されて射出される。
【０１６３】
この例では、異方性光拡散シート１１は、採光シート９および基材８と別体で構成されている。しかしながら、異方性光拡散シート１１は、採光シート９および基材８と一体に構成されていてもよい。例えば、基材８の第２面側を加工して、複数のシリンドリカルレンズを基材８と一体に形成してもよい。異方性光拡散シート１１は、必ずしもレンチキュラーレンズから構成されていなくてもよく、例えば略一方向に延伸した複数の凸部を備えた透光性のシートから構成されていてもよい。
または、図３７に示すように、基材８を用いずに、採光シート９と異方性光拡散シート１１を直接貼り合わせた構成の採光スラット８６を採用してもよい。
【０１６４】
［第５変形例の採光スラット］
図３８に示すように、第５変形例の採光スラット９５は、基材８と、基材８の室外側に設けられた、断面が４角形の複数のプリズム構造体９１と、を備える。
【０１６５】
［第６変形例の採光スラット］
図３９に示すように、第６変形例の採光スラット９６は、基材８と、基材８の室外側に設けられた、断面が４角形の複数のプリズム構造体９２と、を備える。
【０１６６】
［第７変形例の採光スラット］
図４０に示すように、第７変形例の採光スラット９７は、基材８と、基材８の室内側に設けられた、断面が４角形の複数のプリズム構造体９３と、を備える。
【０１６７】
第５〜第７変形例の採光スラット９５，９６，９７のように、プリズム構造体９１，９２，９３が多角形であっても、プリズム構造体の各面と基準面とのなす角度のうち、上記の条件を満たす角度αと角度βとの組合せが少なくとも一部に有ればよい。
【０１６８】
［第２実施形態］
以下、本発明の第２実施形態について、図４１および図４２Ａ〜図４２Ｃを用いて説明する。
本実施形態の採光装置の基本構成は第１実施形態と同一であり、複数の採光スラットの構成が第１実施形態と異なる。
図４１は、第２実施形態の採光装置の斜視図であり、第１実施形態の図１に対応する図面である。
図４１および図４２Ａ〜図４２Ｃにおいて、第１実施形態で用いた図面と共通の構成要素には同一の符号を付し、説明を省略する。
【０１６９】
図４１に示すように、第２実施形態の採光装置５１は、複数の採光スラット２と、複数の遮光スラット５２と、支持機構４と、駆動機構５と、制御部６と、を備えている。複数の遮光スラット５２が遮光ユニット５３を構成する。すなわち、第１実施形態では、全てのスラットが採光スラット２であったのに対し、第２実施形態では、複数のスラットが採光スラット２と遮光スラット５２とを含んでいる。複数の採光スラット２は、太陽光を部屋の天井方向に向けて曲げるため、室内の執務者が眩しくないように、執務者の目線より上方に設置されている。複数の遮光スラット５２は、複数の採光スラット２の下方に設置されている。
【０１７０】
採光スラット２は、第１実施形態の採光スラット２と同一のものである。遮光スラット５２は、例えばアルミニウム等の金属、もしくは木材等で構成され、光を遮蔽する。遮光スラット５２は、光を遮蔽できるものであれば、特に形状は限定されない。もしくは、遮光スラット５２に代えて、拡散透過スラットが用いられてもよい。拡散透過スラットは、例えばポリカーボネート等の透明樹脂の板材に光散乱性を持たせたものであり、光を拡散透過させる。
第２実施形態の遮光スラット５２および拡散透過スラットは、特許請求の範囲の第２のスラットに対応する。
【０１７１】
複数の遮光スラット５２は、各遮光スラット５２の傾斜角が変更可能に構成されている。第２実施形態の場合、複数の遮光スラット５２は、駆動機構５により複数の採光スラット２と連動して回転する。
【０１７２】
第２実施形態においても、採光スラットの形状として、平板状の採光スラット２に代えて、図４２Ａ〜図４２Ｃに示すように、平板を折り曲げた形状の採光スラット４０を用いてもよい。
【０１７３】
図４２Ａに示すように、太陽高度が低いとき、複数の採光スラット４０は、複数の採光部が設けられた第１部分４１ａが採光面Ｓに対して平行に配置される。これにより、太陽光Ｌは、複数のプリズム構造体１３により光路を曲げられ、部屋の奥側に向けて射出される。このとき、複数の遮光スラット５２は、遮光スラット５２の少なくとも一部が採光面Ｓに対して平行に配置される。これにより、太陽光Ｌが遮蔽されるため、室内の執務者がグレアを感じることはない。
【０１７４】
次に、太陽高度が高くなったとき、複数の採光スラット４０が回転しなかったとすると、太陽光Ｌは窓の近傍のみを照らし、部屋の奥側を照らすことが難しい。これに対し、本実施形態の場合、図４２Ｂに示すように、複数の採光スラット４０は、上端側が採光面Ｓに対して室内側に傾く方向に回転する。これにより、太陽光Ｌは、部屋の奥側を照らすことができる。このとき、複数の遮光スラット５２は、複数の採光スラット４０と連動して、上端側が採光面Ｓに対して室内側に傾く方向に回転する。ここで、隣り合う遮光スラット５２間に隙間ができるが、太陽高度が高いときには、太陽光Ｌが遮光スラット５２の隙間を抜けて室内に入ることはほとんどなく、室内の執務者がグレアを感じることはない。
【０１７５】
また、曇天、雨天や夜間のときなど、直射光の採光の必要がないときには、図４２Ｃに示すように、複数の採光スラット４０は、複数のプリズム構造体１３が設けられた第１部分４１ａが採光面Ｓに対して垂直に近い位置にまで回転する。同様に、複数の遮光スラット５２も、採光面Ｓに対して垂直に近い位置にまで回転する。これにより、採光装置５１の眺望性が向上し、執務者は室外の景観を視認することができる。
【０１７６】
第２実施形態においても、グレアの抑制と効率の良い採光を両立できる採光装置を提供できる、といった第１実施形態と同様の効果が得られる。
【０１７７】
特に第２実施形態の場合、採光装置５１が遮光スラット５２を備えているため、グレアをより十分に抑制することができる。また、複数の遮光スラット５２を複数の採光スラット２，４０と連動して回転させるため、遮光スラット５２の駆動機構を別個に備える必要がなく、採光装置５１の構成が複雑化することを抑制できる。
【０１７８】
ただし、複数の遮光スラット５２は、複数の採光スラット２とは独立して回転する構成であってもよい。その場合、複数の遮光スラット５２は、自動で回転する構成であってもよいし、手動で回転する構成であってもよい。複数の遮光スラット５２が独立して回転する構成とした場合、駆動機構は増えるが、遮光スラット５２を直射遮蔽角まで、より室内側に傾斜させることができる。これにより、採光量を増やすことができる。
なお、本実施形態では、複数の遮光スラット５２は、傾斜角が変化するものとしたが、傾斜角が変化しないものであってもよい。
【０１７９】
［第３実施形態］
以下、本発明の第３実施形態について、図４３および図４４Ａ〜図４４Ｄを用いて説明する。
本実施形態の採光装置の基本構成は第１実施形態と同一であり、直達光検出部を備えた点が第１実施形態と異なる。
図４３は、第３実施形態の採光装置の斜視図であり、第１実施形態の図１に対応する図面である。
図４３および図４４Ａ〜図４４Ｄにおいて、第１実施形態で用いた図面と共通の構成要素には同一の符号を付し、説明を省略する。
【０１８０】
図４３に示すように、第３実施形態の採光装置６１は、複数の採光スラット２と、複数の遮光スラット５２と、支持機構４と、第１の駆動機構６３と、第２の駆動機構６４と、直達光検出部６５と、制御部６６と、を備えている。第１の駆動機構６３と第２の駆動機構６４とは、ヘッドボックス１７に収容されている。
【０１８１】
複数の採光スラット２は、第１の駆動機構６３により回転可能に構成され、各採光スラット２の傾斜角が変更可能に構成されている。複数の遮光スラット５２は、第２の駆動機構６４により回転可能に構成され、各遮光スラット５２の傾斜角が変更可能に構成されている。すなわち、第３実施形態の採光装置６１は、採光スラット２の駆動とは独立して遮光スラット５２を駆動する第２の駆動機構６４を備えている。採光スラット２および遮光スラット５２の構成は、第１実施形態および第２実施形態と同様である。
【０１８２】
直達光検出部６５は、採光装置６１が設置されている建造物、もしくは建造物の周辺部における直達光の有無を検出する。直達光検出部６５は、採光装置６１が太陽から直接受光する直達光の有無が検出できるものであれば、日射量、輝度、照度等のいずれを検出するものであってもよく、任意の既知の天候判断装置を用いることができる。直達光検出部６５の設置位置は、例えば建造物の屋上、外壁、窓、室内等のいずれであってもよい。例えば一つの建造物に複数の採光装置６１が設置される場合、複数の採光装置６１で一つの直達光検出部６５を兼用してもよい。
【０１８３】
具体的には、直達光検出部６５として、例えば（１）太陽追尾型の照度センサもしくは日射量センサ、（２）魚眼カメラ、等を用いることができる。（１）では、太陽を追尾する第１の照度計と、太陽周辺を除いた天空光による照度を測定する第２の照度計を備え、各々の照度計の測定値の差分によって晴天か曇天かを判断し、スラットの制御を行う。（２）では、魚眼カメラによって全天の天空画像を撮像し、全天を分割した複数の領域に対して、輝度値、Ｒ値、Ｂ値、Ｇ値の少なくとも１つの指標に基づいて日射の状態を判断し、天候を判断する。
【０１８４】
第３実施形態においても、採光スラットの形状として、平板状の採光スラット２に代えて、図４４Ａ〜図４４Ｄに示すように、平板を折り曲げた形状の採光スラット４０を用いてもよい。
【０１８５】
第３実施形態の場合、制御部６６は、直達日射量検出部６５が検出した直達日射量に基づいて、採光スラット２の傾斜角を制御する。
例えば、晴天時に直達日射量が所定の閾値よりも多いと制御部６６が判断した場合、図４４Ａ、図４４Ｂで示すように、第２実施形態と同様、太陽高度に応じて複数の採光スラット４０を部屋の奥まで導光できるような傾斜角に制御する一方、複数の遮光スラット５２を日射遮蔽角または全閉となるように制御する。
【０１８６】
これに対して、曇天や雨天時に直達日射量が所定の閾値以下であると制御部６６が判断した場合、例えば図４４Ｃに示すように、採光スラット４０および遮光スラット５２をともに水平にすることで眺望性を確保しつつ、採光量を増やすことができる。
【０１８７】
あるいは、曇天や雨天時に、天空の輝度分布が一様であると仮定した場合、図４４Ｄに示すように、採光量が最も多くなるスラット傾斜角を予め設定しておき、採光スラット４０を制御してもよい。このように、制御部６６は、直達日射量が所定の閾値以下であると判断した場合に採光スラット４０の傾斜角を既定値になるように制御してもよい。
【０１８８】
また、採光装置６１には、直達日射光だけでなく、周辺の建造物からの反射光が到達する場合もある。この場合、制御部６６のメモリ２１に、周辺の建造物の位置および高さ、建造物内の複数の採光装置６１の設置位置情報などが記憶されていれば、反射光が存在するかどうかを判断することができる。この反射光量をスラットの開閉の判断に加えてもよい。
【０１８９】
第３実施形態においても、グレアの抑制と効率の良い採光を両立できる採光装置を提供できる、といった第１、第２実施形態と同様の効果が得られる。
【０１９０】
特に第３実施形態の場合、制御部６６が直達日射量に基づいて採光スラット２，４０および遮光スラット５２の傾斜角を制御しているため、直達日射量に応じた効率の良い採光とグレアの抑制が可能であることに加え、特に曇天時、雨天時の眺望性を確保することができる。また、採光スラット２，４０と遮光スラット５２とが独立して回転するため、採光スラット２，４０と遮光スラット５２のそれぞれを最適な傾斜角となるように制御することができる。
【０１９１】
［第４実施形態］
以下、本発明の第４実施形態について、図４５Ａ〜図４５Ｃを用いて説明する。
本実施形態の採光装置の基本構成は第２実施形態と同一であり、複数の採光スラットの動作が第２実施形態と異なる。
図４５Ａは、第４実施形態の採光装置の動作方式の一例を説明するための第１の図である。図４５Ｂは、第４実施形態の採光装置の動作方式の一例を説明するための第２の図である。図４５Ｃは、第４実施形態の採光装置の動作方式の一例を説明するための第３の図である。
図４５Ａ〜図４５Ｃにおいて、第２実施形態で用いた図面と共通の構成要素には同一の符号を付し、説明を省略する。
【０１９２】
図４５Ａに示すように、第４実施形態の採光装置１０１は、複数の採光スラット４０と、複数の遮光スラット５２と、支持機構４と、駆動機構５と、制御部６と、を備えている。すなわち、第４実施形態では、第２実施形態と同様、複数のスラットが採光スラット４０と遮光スラット５２とを含んでいる。複数の採光スラット４０は、室内の執務者の目線より上方に設置されている。複数の遮光スラット５２は、複数の採光スラット４０の下方に設置されている。
【０１９３】
採光スラット４０自体の構成は、第１実施形態の採光スラット２と同様のものである。採光スラット４０は、手動で回転できるものでもよいし、駆動機構５によって自動で回転できるものでもよい。一方、遮光スラット５２自体の構成は、第２実施形態の遮光スラット５２と同一のものである。本実施形態では、遮光スラット５２は、駆動機構５によって自動で回転できる構成となっている。
【０１９４】
すなわち、第４実施形態において、駆動機構５は、採光スラット４０または遮光スラット５２のうち、少なくとも一方のスラットを駆動する。また、制御部６は、太陽の位置に応じて少なくとも一方のスラットの傾斜角を変化させるように駆動機構５を制御する。
【０１９５】
第４実施形態の採光装置１０１では、晴天時には、図４５Ａに示すように、複数の採光スラット４０は、複数の採光部が設けられた第１部分４１ａが採光面Ｓに対して平行に配置された状態で固定される。すなわち、晴天時には、制御部６は、採光スラット４０の傾斜角を変化させる制御は行わない。これにより、太陽光Ｌは、複数のプリズム構造体１３により光路を曲げられ、部屋の奥側に向けて射出される。
【０１９６】
晴天時には、複数の遮光スラット５２は、制御部６によって太陽の位置に応じて傾斜角が日射遮蔽角となるように制御される。これにより、太陽光Ｌが適切に遮蔽されるため、室内の執務者がグレアを感じることはない。
【０１９７】
一方、曇天時には、図４５Ｂに示すように、複数の採光スラット４０は、複数の採光部が設けられた第１部分４１ａが採光面Ｓに対して平行となるように配置されてもよい。もしくは、図４５Ｃに示すように、複数の採光スラット４０は、複数の採光部が設けられた第１部分４１ａが採光面Ｓに対して垂直に近い位置となるように配置されてもよい。さらに、複数の採光スラット４０は、図４５Ｂと図４５Ｃの中間の位置となるように配置されてもよい。また、採光スラット４０の位置は、曇天時には手動で調整されてもよいし、電動で制御されてもよい。
【０１９８】
曇天時には、複数の遮光スラット５２は、制御部６によって例えば採光面Ｓに対して垂直に近い位置となるように制御される。
【０１９９】
第４実施形態においても、グレアの抑制と効率の良い採光を両立できる採光装置を提供できる、といった第１実施形態と同様の効果が得られる。
【０２００】
特に第４実施形態の場合、採光スラット４０は、偶数回反射光（屈折光、２回反射光）の寄与が大きいプリズム構造体を有しているため、採光スラット４０を回転させると、角度によってはグレアになる場合がある。また、採光スラット４０は執務者の目線より上に設置する必要があるが、天井が低い建物では、採光スラット４０を執務者の目線より上に十分に配置できない場合がある。以上のような場合、第４実施形態のように、少なくとも一方のスラットを電動制御する形態であれば、採光スラット４０ではなく、遮光スラット５２を電動制御した方が採光量を多くできる場合がある。このように、本実施形態によれば、天候や室外の明るさに応じて、採光量を高めるためのスラット動作の組合せの選択肢が高くなる。
【０２０１】
［第５実施形態］
以下、本発明の第５実施形態について、図４６および図４７を用いて説明する。
本実施形態では、第１〜第４実施形態の採光装置を備えた採光システムの一例を説明する。
図４６は、第５実施形態の採光システムの斜視図である。図４７は、採光システムの断面図である。
図４６および図４７において、第１実施形態で用いた図面と共通の構成要素には同一の符号を付し、説明を省略する。
【０２０２】
図４６および図４７に示すように、採光システム７１は、採光装置５１と、複層ガラス７４と、を備えている。複層ガラス７４は、一対のガラス板が間隔を隔てて対向して配置された構成を有する。採光装置５１は、複数ガラス７４を構成する室外側ガラス板７２と室内側ガラス板７３との間に設けられている。図４６および図４７では、採光スラット２と遮光スラット５２とを有する第２実施形態の採光装置５１の例を示したが、第１〜第３実施形態のいずれの採光装置を用いてもよい。
【０２０３】
本実施形態の採光システム７１は、第１〜第４実施形態の採光装置を備えているため、グレアの抑制と効率の良い採光を実現することができる。
【０２０４】
また、採光装置５１が複層ガラス７４の内側に設置され、スラットに変形や変質を生じさせる外部要因である水分、衝撃等から保護されるため、採光スラット２や遮光スラット５２の劣化が生じにくく、採光効果や遮光効果を十分に維持することができる。また、窓と採光装置５１とが採光システム７１として一体化するため、採光装置５１の設置の有無による見た目の違いが少なくなり、建造物の外観の統一性が向上する。
【０２０５】
［照明調光システム］
図４８は、採光装置および照明調光システムを備えた部屋モデル２０００を示す図であって、図４９のＡ−Ａ’線に沿う断面図である。
図４９は、部屋モデル２０００の天井を示す平面図である。
【０２０６】
太陽光が導入される部屋２００３の天井２００３ａを構成する天井材は、高い光反射性を有していてもよい。図４８および図４９に示すように、部屋２００３の天井２００３ａには、光反射性を有する天井材として、光反射性天井材２００３Ａが設置されている。光反射性天井材２００３Ａは、窓２００２に設置された採光装置２０１０からの外光を室内の奥の方に導入することを促進する。光反射性天井材２００３Ａは、窓際の天井２００３ａに設置されている。具体的には、天井２００３ａの所定の領域Ｅ（窓２００２から約３ｍの領域）に設置されている。
【０２０７】
光反射性天井材２００３Ａは、先に述べたように、上述したいずれかの実施形態の採光装置２０１０が設置された窓２００２を介して室内に導入された太陽光を室内の奥の方まで効率良く導く。採光装置２０１０から室内の天井２００３ａへ向けて導入された太陽光は、光反射性天井材２００３Ａで反射され、向きを変えて室内の奥に置かれた机２００５の机上面２００５ａを照らすことになり、当該机上面２００５ａを明るくする効果を発揮する。
【０２０８】
光反射性天井材２００３Ａは、拡散反射性であってもよいし、鏡面反射性であってもよいが、室内の奥に置かれた机２００５の机上面２００５ａを明るくする効果と、室内に居る人にとって不快なグレア光を抑える効果を両立するために、両者の特性が適度に合わさったものであることが好ましい。
【０２０９】
採光装置２０１０により室内に導入された光の多くは、窓２００２の付近の天井に向かうが、窓２００２の近傍は光量が十分である場合が多い。そのため、上記のような光反射性天井材２００３Ａを併用することにより、窓付近の天井（領域Ｅ）に入射した光を、窓際に比べて光量の少ない室内の奥の方へ振り分けることができる。
【０２１０】
光反射性天井材２００３Ａは、例えばアルミニウム等の金属板に数十μｍ程度の凹凸によるエンボス加工を施したり、同様の凹凸を形成した樹脂基板の表面にアルミニウム等の金属薄膜を蒸着したりして作成することができる。あるいは、エンボス加工により形成される凹凸がより大きな周期の曲面で形成されていてもよい。
【０２１１】
さらに、光反射性天井材２００３Ａに形成するエンボス形状を適宜変えることにより、光の配光特性や室内での光の分布を制御することができる。例えば、室内の奥の方に延在するストライプ状にエンボス加工を施した場合は、光反射性天井材２００３Ａで反射した光が、窓２００２の左右方向（凹凸の長手方向に交差する方向）に拡がる。窓２００２の大きさや向きが限られているような場合は、このような特性を利用して、光反射性天井材２００３Ａにより光を水平方向へ拡散させるとともに、部屋の奥側に向けて反射させることができる。
【０２１２】
採光装置２０１０は、部屋２００３の照明調光システムの一部として用いられる。照明調光システムは、例えば、採光装置２０１０と、複数の室内照明装置２００７と、窓に設置された日射調整装置２００８と、これらの制御系と、天井２００３ａに設置された光反射性天井材２００３Ａと、を含む部屋全体の構成部材から構成される。
【０２１３】
部屋２００３の窓２００２には、採光装置２０１０が設置され、上部側に採光スラットが配置され、下部側に遮光スラット２００８が配置されている。ここでは、採光装置２０１０として、第２実施形態の採光装置が用いられているが、これに限らない。
【０２１４】
部屋２００３には、複数の室内照明装置２００７が、窓２００２の左右方向（Ｙ方向）および室内の奥行き方向（Ｘ方向）に格子状に配置されている。これら複数の室内照明装置２００７は、採光装置２０１０と併せて部屋２００３の全体の照明システムを構成する。
【０２１５】
図４８および図４９に示すように、例えば、部屋２００３の幅方向（窓２００２の左右方向、Ｙ方向）の長さＬ１が１８ｍ、部屋２００３の奥行方向（Ｘ方向）の長さＬ２が９ｍのオフィスの天井２００３ａを示す。ここでは、室内照明装置２００７は、天井２００３ａの横方向（Ｙ方向）および奥行方向（Ｘ方向）に、それぞれ１．８ｍの間隔Ｐをおいて格子状に配置されている。より具体的には、５０個の室内照明装置２００７が１０行（Ｙ方向）×５列（Ｘ方向）に配列されている。
【０２１６】
室内照明装置２００７は、室内照明器具２００７ａと、明るさ検出部２００７ｂと、制御部２００７ｃと、を備え、室内照明器具２００７ａに明るさ検出部２００７ｂと制御部２００７ｃとが一体化された構成を有する。
【０２１７】
室内照明装置２００７は、室内照明器具２００７ａおよび明るさ検出部２００７ｂをそれぞれ複数ずつ備えていてもよい。ただし、明るさ検出部２００７ｂは、各室内照明器具２００７ａに対して１個ずつ設けられる。明るさ検出部２００７ｂは、室内照明器具２００７ａが照明する被照射面の反射光を受光して、被照射面の照度を検出する。ここでは、明るさ検出部２００ｂにより、室内に置かれた机２００５の机上面２００５ａの照度を検出する。
【０２１８】
室内照明装置２００７に１個ずつ設けられた制御部２００７ｃは、互いに接続されている。各室内照明装置２００７は、互いに接続された制御部２００７ｃにより、各々の明るさ検出部２００７ｂが検出する机上面２００５ａの照度が一定の目標照度Ｌ０（例えば、平均照度：７５０ｌｘ）になるように、それぞれの室内照明器具２００７ａのＬＥＤランプの光出力を調整するフィードバック制御を行っている。
【０２１９】
図５０は、採光装置によって室内に採光された光（自然光）の照度と、室内照明装置による照度（照明調光システム）との関係を示すグラフである。図５０において、縦軸は机上面の照度（ｌｘ）を示し、横軸は窓からの距離（ｍ）を示す。また、図中の破線は、室内の目標照度を示す。（●：採光装置による照度、△：室内照明装置による照度、◇：合計照度）
【０２２０】
図５０に示すように、採光装置２０１０により採光された光に起因する机上面照度は、窓の近傍ほど明るく、窓から遠くなるに従ってその効果は小さくなる。採光装置２０１０を適用した部屋では、昼間における窓からの自然採光により、このような部屋の奥行き方向への照度分布が生じる。そこで、採光装置２０１０は、室内の照度分布を補償する室内照明装置２００７と併用して用いられる。
【０２２１】
室内天井に設置された室内照明装置２００７は、それぞれの装置の下方の平均照度を明るさ検出部２００７ｂにより検出し、部屋全体の机上面照度が一定の目標照度Ｌ０になるように調光制御されて点灯する。したがって、窓の近傍に設置されているＳ１列、Ｓ２列はほとんど点灯せず、Ｓ３列、Ｓ４列、Ｓ５列と部屋の奥側に向かうに従って出力を上げながら点灯される。結果として、部屋の机上面は自然採光による照明と室内照明装置２００７による照明との双方で照らされ、部屋全体にわたって執務をする上で十分とされる机上面照度である７５０ｌｘ（「ＪＩＳ  Ｚ９１１０  照明総則」の執務室における推奨維持照度）を実現することができる。
【０２２２】
以上述べたように、採光装置２０１０と照明調光システム（室内照明装置２００７）とを併用することにより、室内の奥側まで光を届けることが可能となり、室内の明るさをさらに向上させることができ、部屋全体にわたって執務をする上で十分とされる机上面照度を確保することができる。したがって、季節や天気による影響を受けることなく、より一層安定した明るい光環境が得られる。
【０２２３】
なお、本発明の技術範囲は上記実施形態に限定されるものではなく、本発明の趣旨を逸脱しない範囲において種々の変更を加えることが可能である。
例えば上記実施形態では、制御部により採光スラットが自動的に制御される例を示したが、この構成に代えて、例えば、採光装置は、採光スラットの姿勢を外部から入力するリモコン（入力部）を備えていてもよい。この場合、制御部は、リモコンから入力された信号に基づいて採光スラットの傾斜角を制御する。
【０２２４】
その他、採光装置および採光システムを構成する各構成要素の数、配置、形状、寸法、材料などに関する具体的な構成は、適宜変更することができる。
【産業上の利用可能性】
【０２２５】
本発明の一態様は、太陽光などの外光を室内に採り入れるための採光装置および採光システムなどに利用が可能である。
【符号の説明】
【０２２６】
１，５１，６１，１０１…採光装置、２，２６，３６，４０，８５，８６…採光スラット（第１のスラット）、５，６３…駆動機構（第１の駆動機構）、６，６６…制御部、１３，２５，３０，４２，８０…プリズム構造体、１４，４３…空隙部、２１…メモリ（記憶部）、５２…遮光スラット（第２のスラット）、６４…第２の駆動機構、６５…直達日射量検出部、７１…採光システム、７４…複層ガラス、２００７…室内照明装置、２００７ｂ…明るさ検出部。
【図１】
2017188318.tif 000028
【図２】
2017188318.tif 000029
【図３Ａ】
2017188318.tif 000030
【図３Ｂ】
2017188318.tif 000031
【図４】
2017188318.tif 000032
【図５】
2017188318.tif 000033
【図６Ａ】
2017188318.tif 000034
【図６Ｂ】
2017188318.tif 000035
【図６Ｃ】
2017188318.tif 000036
【図７】
2017188318.tif 000037
【図８】
2017188318.tif 000038
【図９】
2017188318.tif 000039
【図１０】
2017188318.tif 000040
【図１１】
2017188318.tif 000041
【図１２】
2017188318.tif 000042
【図１３】
2017188318.tif 000043
【図１４】
2017188318.tif 000044
【図１５Ａ】
2017188318.tif 000045
【図１５Ｂ】
2017188318.tif 000046
【図１６】
2017188318.tif 000047
【図１７Ａ】
2017188318.tif 000048
【図１７Ｂ】
2017188318.tif 000049
【図１７Ｃ】
2017188318.tif 000050
【図１８】
2017188318.tif 000051
【図１９】
2017188318.tif 000052
【図２０】
2017188318.tif 000053
【図２１】
2017188318.tif 000054
【図２２】
2017188318.tif 000055
【図２３】
2017188318.tif 000056
【図２４】
2017188318.tif 000057
【図２５】
2017188318.tif 000058
【図２６】
2017188318.tif 000059
【図２７】
2017188318.tif 000060
【図２８】
2017188318.tif 000061
【図２９】
2017188318.tif 000062
【図３０】
2017188318.tif 000063
【図３１】
2017188318.tif 000064
【図３２】
2017188318.tif 000065
【図３３】
2017188318.tif 000066
【図３４】
2017188318.tif 000067
【図３５】
2017188318.tif 000068
【図３６】
2017188318.tif 000069
【図３７】
2017188318.tif 000070
【図３８】
2017188318.tif 000071
【図３９】
2017188318.tif 000072
【図４０】
2017188318.tif 000073
【図４１】
2017188318.tif 000074
【図４２Ａ】
2017188318.tif 000075
【図４２Ｂ】
2017188318.tif 000076
【図４２Ｃ】
2017188318.tif 000077
【図４３】
2017188318.tif 000078
【図４４Ａ】
2017188318.tif 000079
【図４４Ｂ】
2017188318.tif 000080
【図４４Ｃ】
2017188318.tif 000081
【図４４Ｄ】
2017188318.tif 000082
【図４５Ａ】
2017188318.tif 000083
【図４５Ｂ】
2017188318.tif 000084
【図４５Ｃ】
2017188318.tif 000085
【図４６】
2017188318.tif 000086
【図４７】
2017188318.tif 000087
【図４８】
2017188318.tif 000088
【図４９】
2017188318.tif 000089
【図５０】
2017188318.tif 000090
【国際調査報告】
2017188318.tif 000091
2017188318.tif 000092
2017188318.tif 000093
2017188318.tif 000094